(57)【要約】【課題】外部ＰＣ等からプリント要求があった場合に、記録日時等を所望の位置にプリントし得る記録装置を提供する。【解決手段】外部ＰＣ２２からプリント要求があった場合、予めＰＣプリントデータセーブ指示があるか否か判定し（ステップＳＴ１）、プリントデータセーブ指示があれば、プリント日時と通番を予め指定の位置に付して原稿をプリントする（ステップＳＴ２）とともに、日時、通番付きのプリントデータをファイルサーバ２１の指定フォルダに転送する（ステップＳＴ３）。プリント依頼の全ページについて、上記処理を行う（ステップＳＴ４）。プリント要求があった場合に、ＰＣプリントデータセーブの指示がない場合には、プリント依頼のあった原稿を全ページにわたりプリントする（ステップＳＴ１、ＳＴ５、ＳＴ６）。【選択図】　　　図２
2004023495.tif 000002
【特許請求の範囲】
【請求項１】
用紙にデータを記録する記録部と、外部端末接続部と、この外部端末接続部を経て、外部端末からデータの記録を要求された場合に、記録日時及び通番を記録用紙の指定場所に記録させる手段と、を備えたことを特徴とする記録装置。
【請求項２】
前記日時及び通番の文字サイズ、濃度を設定する手段を備えたことを特徴とする請求項１記載の記録装置。
【請求項３】
前記記録した画像データは、転送手段によってファイルサーバに転送されることを特徴とする請求項１又は請求項２記載の記録装置。
【請求項４】
前記指定場所は、用紙の表面／裏面も併せて指定できる手段を備えたことを特徴とする請求項１、請求項２又は請求項３記載の記録装置。
【発明の詳細な説明】
【０００１】
【発明の属する技術分野】
この発明は、ファクシミリ装置、複写機能・ファックス機能等の多機能を有する複合機等の記録装置に関する。
【０００２】
【従来の技術】
ファクシミリ装置、複合機等は、他の通信装置から画像データを受信すると、この画像データを記録部でプリント（記録）する。従来、このプリント時に、用紙の上端（先端）に送信元、及びその電話番号、記録日時等を記録している。
【０００３】
【発明が解決しようとする課題】
上記のように、他の通信装置からの画像データの送信を受け、用紙の上端に記録日時等を記録するものはあるが、ＰＣ（パーソナルコンピュータ）等の外部端末からの依頼により、プリント処理を行う際に、所望の位置に記録日時等を記録し得るものはなく、非常に不便であった。
【０００４】
この発明は上記問題点に着目してなされたものであって、外部ＰＣ等からプリント要求がなされた場合に、記録日時等を所望の位置にプリントし得る記録装置を提供することを目的としている。
【０００５】
【課題を解決するための手段】
この発明の記録装置は、用紙にデータを記録する記録部と、外部端末接続部と、この外部端末接続部を経て、外部端末からデータの記録を要求された場合に、記録日時及び通番を記録用紙の指定場所に記録させる手段と、を備えている。
【０００６】
この記録装置では、記録用紙の所望位置、例えば上端、右端、左端、下端、中央等を指定して記録することができる。
【０００７】
この記録装置は、更に前記日時及び通番の文字サイズ、濃度を設定する手段を備えると良い。
【０００８】
また、この記録装置では、前記記録した画像データは、転送手段によってファイルサーバに転送するようにしても良い。
【０００９】
また、この記録装置において、前記指定場所は、用紙の表面／裏面も併せて指定できる手段を備えても良い。
【００１０】
【発明の実施の形態】
以下、実施の形態により、この発明を更に詳細に説明する。
【００１１】
実施形態に係る記録装置の構成例を示すブロック図を図１に示す。但し、この実施形態では、記録装置としてコピー機能とファクシミリ機能を併有する複合機を例にしてある。
【００１２】
図１において、制御手段としてのＭＰＵ（中央処理装置）１は、当該複合機全体を制御する機能を有する。
【００１３】
このＭＰＵ１には、ＮＣＵ（Ｎｅｔｗｏｒｋ　Ｃｏｎｔｒｏｌ　Ｕｎｉｔ）２、ＭＯＤＥＭ３が接続されている。ＮＣＵ２は、ＭＰＵ１により制御されて、回線Ｌと当該複合機との接続を制御すると共に、通信相手の電話番号に応じたダイヤルパルスを送出する機能及び着信を検出する機能を有する。なお、回線Ｌは一般公衆電話回線網（ＰＳＴＮ）に接続されている。ＭＯＤＥＭ３は、送受信データの変復調、具体的には本来はデジタル信号である送信データをアナログの音声信号に変調してＮＣＵ２を介して回線Ｌに送出し、また逆に回線ＬからＮＣＵ２を介して受信したアナログの音声信号をデジタル信号に復調する。
【００１４】
また、ＭＰＵ１には、スキャナ４、ＣＯＤＥＣ（符号化・復号器：Ｃｏｄｅｒ　ａｎｄ　Ｄｅｃｏｄｅｒ　）５、プリンタ６、ＬＡＮ　Ｉ／Ｆ（構内情報網：Ｌｏｃａｌ　Ａｒｅａ　ＮｅｔｗｏｒｋＩｎｔｅｒｆａｃｅ　）７、ＲＯＭ８、ＲＡＭ９、画像メモリ１０、表示部１１、操作部１２が接続されている。
【００１５】
スキャナ４は、例えばＣＣＤイメージセンサ等により原稿画像の読み取りを行う。ＣＯＤＥＣ５は、画像メモリ１０に記憶された送信すべき画データを符号化し、また受信した画データを復号して画像メモリ１０に記憶する。記録手段としてのプリンタ６は、受信画データ、スキャナ４が読み取った画データ、又は画像メモリ１０に記憶された画データを用紙に印字することにより記録してハードコピー出力を行う。また、このプリンタ６はＰＣプリントデータセーブの指示（設定）があれば、プリント時に用紙にプリント日時と通番を記録する。
【００１６】
ＬＡＮＩ／Ｆ７は、ファイルサーバ２１、クライアントＰＣ（パーソナルコンピュータ）２２が接続されたＬＡＮ２０に接続するためのものである。ここでは、更にＬＡＮ２０は、ルーター２３を介してインターネット２４に接続されている。
【００１７】
ＲＯＭ８は、この複合機全体の動作を制御するためのプログラム等を予め記憶してある。ＲＡＭ９は、ＭＰＵ１による制御に必要なデータ及び制御動作時に一時記憶が必要なデータ等を記憶する。このＲＡＭ９には、図６に示すようにプリント日時記憶部９ａ、通番記憶部９ｂ、プリント位置記憶部９ｃ、文字サイズ記憶部９ｄ、文字種類記憶部９ｅ、文字濃度記憶部９ｆを備えている。画像メモリ１０は、スキャナ４が読み取った画データを記憶し、また外部から回線ＬとＭＯＤＥＭ３又はＬＡＮＩ／Ｆ７を介して受信した画データを記憶する。
【００１８】
表示部１１は、操作部１２のキー操作により入力された電話番号、ＦＡＸ番号、プリンタ６のトナー残量等の種々の情報を表示する。操作部１２は、図７に示すように、プリントデータセーブキー１２ａ、プリントキー１２ｂ、再プリントキー１２ｃ、重ね合わせプリント指定キー１２ｄ、プリント位置指定キー１２ｅ、文字サイズ指定キー１２ｆ、文字種類指定キー１２ｇ、文字濃度指定キー１２ｈ、その他のキーを有する。
【００１９】
次に、実施形態複合機におけるＰＣプリント実行処理動作を図２に示すフロー図を参照して説明する。複合機の処理動作が、クライアントＰＣ２２からのプリント依頼があり、このＰＣプリント実行処理ルーチンに入ると、ステップＳＴ１において、ＰＣプリントデータセーブの指示があるか否かを判定する。プリントデータセーブの指示は、予めオペレータによって操作部１２のプリントデータセーブキー１２ａの操作により設定される。プリントデータセーブの指示がある場合には、ステップＳＴ２へ移行する。一方、プリントデータセーブの指示がない場合は、ステップＳＴ５へ移行する。
【００２０】
ステップＳＴ２においては、プリント日時と通番付き原稿をプリンタ６でプリント（枚数）する。この原稿のプリント日時、通番は、ＲＡＭ９のプリント日時記憶部９ａ、通番記憶部９ｂに記憶されるが、原稿データとともに、画像メモリ１０に記憶していても良い。次に、ステップＳＴ３へ移行する。ステップＳＴ３においては、プリントデータをファイルサーバ２１の指定フォルダに転送する。続いて、ステップＳＴ４へ移行する。ステップＳＴ４においては、全ページをプリントしたか否かを判定する。全ページのプリントを終了した場合は、処理を終了する。一方、全ページのプリントを終了していない場合は、ステップＳＴ２へ戻る。以降、全ページのプリントが終了するまで、プリント日時と通番付き原稿のプリント（ＳＴ２）と、そのプリントデータのファイルサーバのフォルダへの転送（ＳＴ３）を繰り返す。
【００２１】
次に、実施形態複合機におけるＰＣプリントデータの再プリント処理動作を図３に示すフロー図を参照して説明する。処理動作が、このＰＣプリントデータの再プリント処理ルーチンに入ると、ステップＳＴ１１において、ＰＣプリントデータの再プリントの操作指示有りか否かを判定する。操作部１２の再プリントキー１２ｃが操作されていると、ステップＳＴ１２へ移行する。一方、再プリントキー１２ｃが操作されていない場合は、リターンする。
【００２２】
ステップＳＴ１２においては、ＰＣプリントデータの通番入力処理を受け付ける。この通番入力処理は、オペレータが操作部１２のテンキー操作により行われる。次に、ステップＳＴ１３へ移行する。ステップＳＴ１３においては、前回のプリント日時を表示部１１に表示する。続いて、ステップＳＴ１４へ移行する。ステップＳＴ１４においては、プリント指示有りか否かを判定する。オペレータが表示部１１の表示を見て、操作部１２のプリントキー１２ｂを操作すると、ステップＳＴ１５へ移行する。一方、プリントキー１２ｂが操作されないと、ステップＳＴ１２へ戻り、プリントキー１２ｂが操作されるまで、ステップＳＴ１２〜ＳＴ１４の処理を繰り返す。
【００２３】
ステップＳＴ１５においては、ファイルサーバ２１から指定ファイルをダウンロードする。このダウンロードは、指定ファイルをＬＡＮＩ／Ｆ７を介して取り込み、画像メモリ１０に格納することにより行う。続いて、ステップＳＴ１６へ移行する。ステップＳＴ１６においては、プリント日時記憶部９ａのプリント日時を更新し、プリント日時と通番付きの原稿をプリンタ６でプリントする。次に、ステップＳＴ１７へ移行する。ステップＳＴ１７においては、全ページのプリントが終了したか否かを判定する。全ページのプリントが終了していないと、つまり未プリントのページがあると、ステップＳＴ１５へ戻る。そして、全ページのプリントが終了するまで、ステップＳＴ１５〜ＳＴ１７の処理を繰り返す。ステップＳＴ１７においては、全ページのプリント済みを判定すると、このルーチンの処理を終了する。
【００２４】
ここで、実施形態複合機において、原稿と日時、通番の重ね合わせ印字を設定する場合の処理動作を、図４、図５に示すフロー図を参照して説明する。重ね合わせプリント設定キー１２ｄが操作され、処理動作がこの重ね合わせプリント設定処理ルーチンに入ると、ステップＳＴ２１において、プリント日時、通番のプリント位置の指定有りか否かを判定する。操作部１２でオペレータがプリント日時、通番のプリント位置指定キー１２ｅを操作していると、ステップＳＴ２２へ移行する。一方、プリント位置指定キー１２ｅが操作されていず、プリント日時、通番のプリント位置の指定がない場合は、ステップＳＴ２８へ移行する。
【００２５】
ステップＳＴ２２においては、両面プリントユニット有りか否かを判定する。装置に両面プリントユニットを備えている場合は、ステップＳＴ２３へ移行する。一方、両面プリントユニットを備えない場合は、ステップＳＴ２９へ移行する。ステップＳＴ２３においては、表面ＯＲ裏面の右上／左上／右下／左下からプリント位置の選択を行う。この選択は、オペレータが操作部１２を操作することによって行うことができる。次に、ステップＳＴ２４へ移行する。
【００２６】
ステップＳＴ２９においては、表面の右上／左上／右下／左下からプリントを選択する。この選択は、オペレータが操作部１２を操作することによって行うことができる。次に、ステップＳＴ２４へ移行する。ステップＳＴ２４においては、操作で選択されたプリント位置をＲＡＭ９のプリント位置記憶部９ｃに記憶する。ステップＳＴ２８においては、ステップＳＴ２１において、プリント位置の指定なしの判定がされており、初期値の原稿右下をプリント位置としてＲＡＭ９に記憶する。以上のステップＳＴ２１〜ＳＴ２４、ＳＴ２８、ＳＴ２９の処理で、プリントは日時、通番のプリント位置の設定を実行している。
【００２７】
ステップＳＴ２４に続いて、あるいはステップＳＴ２８に続いて、ステップＳＴ２５へ移行する。ステップＳＴ２５においては、文字サイズの指定有りか否かを判定する。操作部１２でオペレータが文字サイズ指定キー１２ｆにより、プリント日時、通番の文字サイズ指定の操作をしていると、ステップＳＴ２６へ移行する。一方、文字サイズ指定の操作がない場合は、ステップＳＴ３０へ移行する。ステップＳＴ２６においては、文字サイズを選択する。この選択は、オペレータが操作部１２を操作することによって行う。続いて、ステップＳＴ２７へ移行する。ステップＳＴ２７においては、操作で選択された文字サイズをＲＡＭ９の文字サイズ記憶部９ｄに記憶する。また、ステップＳＴ３０においては、ステップＳＴ２５において、文字サイズの指定なしの判定がされており、初期値の８ｐｔを文字サイズとしてＲＡＭ９の文字サイズ記憶部９ｄに記憶する。以上のステップＳＴ２５〜ＳＴ２７、ＳＴ３０の処理で、プリント日時、通番の文字サイズの設定を実行している。
【００２８】
ステップＳＴ２７に続いて、あるいはステップＳＴ３０に続いて、ステップＳＴ３１へ移行する。ステップＳＴ３１においては、文字種類の指定有りか否かを判定する。操作部１２でオペレータが文字種類指定キー１２ｇにより、プリント日時、通番の文字種類指定の操作をしていると、ステップＳＴ３２へ移行する。一方、文字種類指定の操作がない場合は、ステップＳＴ３６へ移行する。ステップＳＴ３２においては、明朝体、ゴシック体等の文字種類を選択する。この選択は、オペレータが操作部１２を操作することによって行う。続いて、ステップＳＴ３３へ移行する。ステップＳＴ３３においては、操作で選択された文字種類をＲＡＭ９の文字種類記憶部９ｅに記憶する。また、ステップＳＴ３６においては、ステップＳＴ３１において、文字種類の指定なしの判定がされており、初期値のＭＳゴシックを文字種類としてＲＡＭ９の文字種類記憶部９ｅに記憶する。以上のステップＳＴ３１〜ＳＴ３３、ＳＴ３６の処理で、プリント日時、通番の文字種類の設定を実行している。
【００２９】
ステップＳＴ３３に続いて、あるいはステップＳＴ３６に続いて、ステップＳＴ３４へ移行する。ステップＳＴ３４においては、文字濃度の指定有りか否かを判定する。操作部１２でオペレータが文字濃度指定キー１２ｈにより、プリント日時、通番の文字濃度指定の操作をしていると、ステップＳＴ３７へ移行する。一方、文字濃度指定の操作がない場合は、ステップＳＴ３５へ移行する。ステップＳＴ３７においては、文字濃度を選択する。この選択は、オペレータが操作部１２を操作することによって行う。続いて、ステップＳＴ３８へ移行する。ステップＳＴ３８においては、操作で選択された文字濃度をＲＡＭ９の文字濃度記憶部９ｆに記憶する。また、ステップＳＴ３５においては、ステップＳＴ３４において、文字濃度の指定なしの判定がされており、初期値の普通濃度を文字濃度としてＲＡＭ９の文字濃度記憶部９ｆに記憶する。以上のステップＳＴ３４〜ＳＴ３７、ＳＴ３８の処理で、プリント日時、通番の文字濃度の設定を実行している。
【００３０】
【発明の効果】
請求項１に係る発明によれば、用紙にデータを記録する記録部と、外部端末接続部と、この外部端末接続部を経て、外部端末からデータの記録を要求された場合に、記録日時及び通番を記録用紙の指定場所に記録させる手段と、を備えているので、記録日時及び通番を記録用紙の望みの場所に記録することができる。
【００３１】
また、請求項２に係る発明によれば、前記日時及び通番の文字サイズ、濃度を設定する手段を備えているので、記録日時、通番を望みの文字サイズ、濃度で記録することができる。
【００３２】
また、請求項３に係る発明によれば、前記記録した画像データは、転送手段によってファイルサーバに転送されるので、通番により画像データを読み出し、再プリントを行うことができる。
【００３３】
また、請求項４に係る発明によれば、前記指定場所は、用紙の表面／裏面も併せて指定できる手段を備えているので、例えば記録用紙の裏面の望みの場所に日時、通番をプリントできる。
【図面の簡単な説明】
【図１】この発明の記録装置の一実施形態である複合機の構成を示すブロック図である。
【図２】同実施形態複合機のＰＣプリント処理を説明するフロー図である。
【図３】同実施形態複合機のＰＣプリントデータ再プリント処理を説明するフロー図である。
【図４】同実施形態複合機の重ね合わせプリント設定処理を説明するフロー図である。
【図５】図４とともに、同実施形態複合機の重ね合わせプリント設定処理を説明するフロー図である。
【図６】同実施形態複合機のＲＡＭの記憶部の配置を示す図である。
【図７】同実施形態複合機の操作部が備えるキーを説明する図である。
【符号の説明】
１　　　　　ＭＰＵ
２　　　　　ＮＣＵ
３　　　　　ＭＯＤＥＭ
４　　　　　スキャナ
５　　　　　ＣＯＤＥＣ
６　　　　　プリンタ
７　　　　　ＬＡＮＩ／Ｆ
８　　　　　ＲＯＭ
９　　　　　ＲＡＭ
１０　　　　画像メモリ
１１　　　　表示部
１２　　　　操作部
２０　　　　ＬＡＮ
２１　　　　ファイルサーバ
２２　　　　クライアントＰＣ
【図１】
2004023495.tif 000003
【図２】
2004023495.tif 000004
【図３】
2004023495.tif 000005
【図４】
2004023495.tif 000006
【図５】
2004023495.tif 000007
【図６】
2004023495.tif 000008
【図７】
2004023495.tif 000009